(57)【要約】  本開示は、検体測定デバイスに、および試料中の検体を測定する方法に関する。方法は、−  測定時間間隔（ＭＴ）中に電気分析信号（１６０；２６０；３６０）を試料（１０）に適用する工程であって、電気分析信号（１６０；２６０；３６０）は周波数空間に移されたとき、少なくともサンプリング時間（ｔ１、ｔ２）において２つ以上の非ゼロ周波数成分（ｃ１、ｃ２、ｃ３）の重ね合わせを含む、工程と、−  試料（１０）からの少なくとも１つの電気応答信号（１７０；２７０；３７０）を測定する工程と、−  電気応答信号（１７０；２７０；３７０）を分析し、電気応答信号（１７０；２７０；３７０）の分析に基づいて試料（１０）中の検体（１６）の量を決定する工程と、を含む。【選択図】図５
2021500537.tif 000002
【特許請求の範囲】
【請求項１】
試料（１０）中の検体（１６）を測定する方法であって：
測定時間間隔（ＭＴ）中に電気分析信号（１６０；２６０；３６０）を試料（１０）に適用する工程であって、電気分析信号（１６０；２６０；３６０）は周波数空間に移されたとき、少なくともサンプリング時間（ｔ１、ｔ２）において、２つ以上の非ゼロ周波数成分（ｃ１、ｃ２、ｃ３）の重ね合わせを含む、工程と、
試料（１０）からの少なくとも１つの電気応答信号（１７０；２７０；３７０）を測定する工程と、
電気応答信号（１７０；２７０；３７０）を分析し、電気応答信号（１７０；２７０；３７０）の分析に基づいて試料（１０）中の検体（１６）の量を決定する工程と、を含む、前記方法。
【請求項２】
電気分析信号（１６０）は、ホワイトノイズ周波数スペクトル、ピンクノイズ周波数スペクトル、レッドノイズ周波数スペクトル、ブルーノイズ周波数スペクトル、バイオレットノイズ周波数スペクトル、およびグレーノイズ周波数スペクトルのうちの１つを含む、ノイズ信号を含む、請求項１に記載の方法。
【請求項３】
電気応答信号（１７０；２７０；３７０）は、測定時間間隔（ＭＴ）中に変化する中心周波数（ｆｃ）を有する可変バンドパスフィルタ（１３０）によってフィルタリングされ、電気応答信号（１７０；２７０；３７０）のうちの可変バンドパスフィルタ（１３０）を通過する部分が分析されて、試料（１０）中の検体（１６）の量が決定される、請求項２に記載の方法。
【請求項４】
第１のサンプリング時間（ｔ１）において、可変バンドパスフィルタ（１３０）は第１の中心周波数（ｆ１）へと調整され、第２のサンプリング時間（ｔ２）において、可変バンドパスフィルタ（１３０）は、第１の中心周波数（ｆ１）とは異なる第２の中心周波数（ｆ２）に少なくとも合わせて調整される、請求項２または３に記載の方法。
【請求項５】
可変バンドパスフィルタ（１３０）は、測定時間間隔（ＭＴ）中に、第１の中心周波数（ｆ１）へとおよび第２の中心周波数（ｆ２）へと繰り返し調整される、請求項４に記載の方法。
【請求項６】
電気分析信号（２６０；３６０）はパルス（Ｐ）のシーケンスを含み、該パルスのシーケンスの単一のパルス（Ｐ）は、山型パルス（２６０）または矩形パルス（３６０）を含む、請求項１に記載の方法。
【請求項７】
電気応答信号（１７０；２７０；３７０）は、測定時間間隔（ＭＴ）の全体の間、またはパルスのシーケンスの連続したパルス（Ｐ）の間の時間間隔中に、分析される、請求項６に記載の方法。
【請求項８】
試料（１０）中の検体（１６）を測定するための検体測定デバイス（１００；２００；３００）であって：
電気分析信号（１６０；２６０；３６０）を生成するように構成されている信号発生器（１１０；２１０；３１０）であって、電気分析信号（１６０；２６０；３６０）は周波数空間に移されたとき、少なくともサンプリング時間（ｔ１，ｔ２）において２つ以上の非ゼロ周波数成分（ｃ１，ｃ２，ｃ３）の重ね合わせを含む、信号発生器と、
電気信号発生器（１１０；２１０；３１０）に接続されており、試料（１０）に電気的に接続可能であり、試料（１０）が電気分析信号（１６０；２６０；３６０）に曝されるときに試料（１０）からの少なくとも１つの電気応答信号（１７０；２７０；３７０）を測定するように構成されている、コントローラ（１５０；２５０；３５０）と、を含む、前記検体測定デバイス。
【請求項９】
信号発生器（１１０）は、ホワイトノイズ周波数スペクトル、ピンクノイズ周波数スペクトル、レッドノイズ周波数スペクトル、ブルーノイズ周波数スペクトル、バイオレットノイズ周波数スペクトル、およびグレーノイズ周波数スペクトルのうちの少なくとも１つを生成するように構成されている、ノイズ発生器（１１２）を含む、請求項８に記載の検体測定デバイス（１００）。
【請求項１０】
コントローラ（１５０）に接続されコントローラ（１５０）によって調整可能な可変バンドパスフィルタ（１３０）を更に含み、ここで、該可変バンドパスフィルタ（１３０）は、試料（１０）からの電気応答信号（１７０）をフィルタリングするように構成されている、請求項８または９に記載の検体測定デバイス（１００）。
【請求項１１】
コントローラ（１５０）は、可変バンドパスフィルタ（１３０）を第１のサンプリング時間（ｔ１）において第１の中心周波数（ｆ１）へと調整するように、および、第１のサンプリング時間（ｔ１）において電気応答信号（１７０）のうちの可変バンドパスフィルタ（１３０）によってフィルタリングされた部分を測定するようにまたは記録するように構成されており、コントローラ（１５０）は、可変バンドパスフィルタ（１３０）を第２のサンプリング時間（ｔ２）において第２の中心周波数（ｆ２）へと調整するように、および、第２のサンプリング時間（ｔ２）において電気応答信号の（１７０）のうちの可変バンドパスフィルタ（１３０）によってフィルタリングされた部分を測定するようにまたは記録するように構成されている、請求項１０に記載の検体測定デバイス。
【請求項１２】
信号発生器（２１０；３１０）はパルス（Ｐ）のシーケンスを生成するように構成されているパルス発生器（２１２；３１２）を含み、パルス発生器（２１２）は山型パルスのシーケンス（２６０）を生成するように構成されているか、または、パルス発生器（３１２）は矩形パルスのシーケンス（３６０）を生成するように構成されている、請求項８に記載の検体測定デバイス。
【請求項１３】
パルス発生器（３１２）は、試料（１０）に矩形電流パルス（３６０）を適用するように構成されている電流源（３１４）を含む、請求項１２に記載の検体測定デバイス。
【請求項１４】
試料（１０）に直流オフセットを適用するように構成されている直流オフセット発生器（１２０；２２０；３２０）を更に含む、請求項８〜１３のいずれか１項に記載の検体測定デバイス。
【請求項１５】
コントローラ（２５０；３５０）は、パルス発生器（２１２；３１２）を起動してパルス（Ｐ）のシーケンスを生成する前に直流オフセット発生器（２２０；３２０）を停止するように構成されている、請求項１４に記載の検体測定デバイス。
【発明の詳細な説明】
【技術分野】
【０００１】
本開示は検体測定デバイスに、および試料中の、特に液体試料中の検体を測定する方法に関する。一態様では、本開示は血糖モニタリング（ＢＧＭ）の分野に関し、特に血液試料中の血糖の測定およびモニタリングに関する。
【背景技術】
【０００２】
血糖モニタリングは、血液中のグルコースの濃度を検査する方法である。糖尿病のケアで特に重要なこととして血糖検査が行われるが、これは、典型的には指において表皮を穿刺し、採血し、化学反応性のある使い捨て試験片に血液を付着させることによって行われる。様々な製造者によって様々な技術が用いられているが、一部のシステムでは、電気的特性が測定され、これを使用して血液中のグルコースレベルが決定される。
【０００３】
医療専門家は糖尿病患者に、その症状に適したモニタリングレジメンを助言する。２型糖尿病である人のほとんどは、１日に少なくとも１回は検査を行う。インスリンを使用している糖尿病患者は通常、自身の前回のインスリン用量の有効性を検証することおよび自身の次回のインスリン用量の決定に役立てることの両方のために、更に頻繁に、例えば１日に３から１０回、自身の血糖を検査する。
【０００４】
血糖を測定するための技術の改善により、糖尿病を患う患者のケアの水準が急速に変わりつつある。
【０００５】
血糖レベルをモニタするための方法およびデバイスには、グルコースバイオセンサを備えた試験片を使用するものがある。例えば、グルコース酸化酵素（ＧＯｘ）を利用するアンペロメトリック型酵素電極を含む試験片が提案されている。化学反応中に、すなわちグルコースの酸化中に、グルコースと酸素がグルコン酸と水に変換される。
【０００６】
知られている電流測定試験片は、目的の検体、例えばグルコースを電流に変換するために、酵素を利用する。これらのバイオセンサは、以下の工程に従って２つの分子間の電子の移動を触媒し得る、酸化酵素と呼ばれる酵素のクラスを主として利用するものである。第１の工程では、酵素が酸素分子と標的化合物をその活性部位内に結合し、検体を酸化するが、この過程で２つの電子が取り出される。酸化中、これらの電子は酵素の補因子によって回収され、この補因子は還元された状態になる。更なる段で、酵素の補因子は、電子を酸素の分子へと移し産生物として過酸化水素を生成することによって、その天然状態へと戻り、新しいサイクルを始めることが可能になる。
【０００７】
クロノアンペロメトリーによる過酸化水素の測定は、試料中の酸素の濃度によって大きく影響を受ける。試験片によっては、この問題を、その組成に媒介物質、すなわち酵素の補因子と電極の間で電子シャトルとして機能する化合物を組み込むことによって、解決している。
【発明の概要】
【発明が解決しようとする課題】
【０００８】
したがって、試料中の検体を測定する改善された方法を提供すること、および、試料中のそのような１つの検体またはいくつかの検体を測定するための改善された検体測定デバイスを提供することが、本開示の目的である。
【課題を解決するための手段】
【０００９】
一態様では、試料中の検体を測定する方法が提供される。方法は、測定時間間隔中に電気分析信号を試料に適用する工程を含む。電気分析信号は周波数空間に移されたとき、少なくともサンプリング時間において、２つ以上の非ゼロ周波数成分の重ね合わせを含む。方法は、試料への電気分析信号の適用に応答する、試料からの少なくとも１つの電気応答信号を測定する工程を更に含む。その後の更なる工程において、電気応答信号を分析する。電気応答信号の分析に基づいて、試料中の検体の量、分量、または濃度を決定することができる。
【００１０】
電気分析信号は試料に適用されるときに所与のサンプリング時間において２つ以上の非ゼロ周波数成分を含むので、試料は少なくとも２つの周波数成分に同時に曝される。試料から得られる戻りの電気応答信号のスペクトルを分析する。電気応答信号はしたがってまた、試料中に含まれる含少なくとも１つの検体を示す、少なくとも２つの非ゼロ周波数成分の重ね合わせも含む。このようにこの複数周波数成分の手法に従うことにより、試料の電気化学的分析の精度を改善することができる。所与のサンプル時間において、試料は、電気分析信号の少なくとも２つの異なる周波数成分に曝される。電気応答信号を、少なくとも２つの周波数成分に関してスペクトル分析することができる。このようにして、検体測定のために、試料に対して一種の電気化学的インピーダンス分光法が行われる。
【００１１】
実質的に変化しない電気分析信号を試料に繰り返しおよび／または規則正しく適用できることは、特に有益である。次いで、試料から取得可能なまたは試料によって変更されたそれぞれの電気応答信号を、異なる様式で、例えば異なるスペクトル範囲または異なる周波数成分に関して、分析することができる。このことは実際的な利益を有し得るが、その理由は、試料、例えば血液試料の付いた試験片が、変更されずかつ変化しない電気分析信号に繰り返し曝されるからである。したがって、試料の経時的な変化、または試料の中もしくは表面で起こる電気化学的反応の変化および時間的挙動を、一定かつ変更されない測定条件下で、繰り返しモニタおよび測定することができる。
【００１２】
電気分析信号を試料に絶え間なく適用して、これにより電気分析信号を試料に連続モードまたはｃｗモードで適用することさえ考えられる。試料への電気分析信号の適用のタイプとは無関係に、電気応答信号のスペクトル範囲を、試料に影響を及ぼすことなく、それぞれの分析用のハードウェアおよびソフトウェアによって個別に分析することができる。
【００１３】
測定時間間隔中に多数の電気分析信号のシーケンスが試料に繰り返し適用されること、および、電気分析信号を試料に適用するたびに試料からの少なくとも１つの戻りの電気応答信号が測定されることが、特に考えられる。測定期間中、試料には電気化学的反応が見られ、これが経時的にモニタされる。測定時間間隔は典型的には、２から１０秒の間の範囲にわたり得る。測定時間間隔は４から６秒の間の範囲にわたり得る。いくつかの典型的な例では、測定時間間隔は約５秒続いてもよい。
【００１４】
ある例によれば、電気分析信号は、ホワイトノイズ周波数スペクトル、ピンクノイズ周波数スペクトル、レッドノイズ周波数スペクトル、ブルーノイズ周波数スペクトル、バイオレットノイズ周波数スペクトル、およびグレーノイズ周波数スペクトルのうちの１つを含む、ノイズ信号を含む。ノイズ信号は、測定時間間隔全体にわたって試料に絶え間なくかつ恒久的に適用される。別法として、ノイズ信号を、測定時間間隔内の少なくとも選択されたサンプリング時間中に、繰り返し適用してもよい。
【００１５】
ノイズ信号は非常に多数の周波数成分の重ね合わせを含み、各周波数成分には時間的な変動または揺らぎが見られる。ノイズ信号が含む異なる周波数成分が非常に少数である場合も考えられる。このようにして、試料は、多数のまたは場合によっては非常に少数の異なる周波数成分に、同時に曝される。試料から取得可能な戻りの電気応答信号はこの場合、周波数成分のそれぞれの量を含んでおり、この量を後から選択的に分析して、試料中の検体の量または分量を決定することができる。
【００１６】
特に、ノイズ信号は、ピンクノイズ周波数スペクトルを含む。ピンクノイズ信号は、パワースペクトル密度、すなわち周波数間隔ごとのエネルギーまたはパワーが、信号の周波数に反比例するような周波数スペクトルを含む。ピンクノイズ信号の場合、オクターブ、すなわち周波数の２分の１または２倍ごとに、等しい量のノイズエネルギーを有する。ノイズ信号、および特にピンクノイズ信号は、１０Ｈｚから２０ｋＨｚまでの周波数範囲を含み得る。
【００１７】
電気分析信号がノイズ信号を含むとき、または、ノイズ信号、例えばピンクノイズ信号の電気分析信号の条件が、ノイズ信号、特にピンクノイズ信号から成るとき、その電気分析信号には考えられるほぼ全ての周波数成分が含まれており、試料は考えられるほぼ全ての周波数成分へと励起されるかまたはそのような周波数成分に曝される。この結果、電気応答信号もまた非常に多数の周波数成分を含むことになる。
【００１８】
電気応答信号を分析するために、電気応答信号の適当なまたは事前決定された周波数スペクトルをフィルタリングすること、および個別に分析することができる。電気応答信号のただ１つまたはいくつかの周波数成分への、そのようなフィルタリング、選択、または限定は、完全に分析側で行われ、電気分析信号による試料の励起または暴露を変化させることはない。試料から見た場合の測定条件が補正および変更されることはなく、したがって、測定精度の向上および測定の再現性の改善が可能になる。
【００１９】
別の例によれば、電気応答信号は、測定時間間隔中に変化する中心周波数を有する可変バンドパスフィルタによってフィルタリングされる。可変バンドパスフィルタを通過する電気応答信号の一部が分析されて、試料中の検体の量が決定される。可変バンドパスフィルタによって、信号分析のために、および検体の量、分量、または濃度の決定のために、電気応答信号のただ１つのまたはいくつかの事前決定された周波数成分を選択することができる。
【００２０】
可変バンドパスフィルタは、比較的短い時間内に動的に調整または調節することができる。このようにして、測定時間間隔中に可変バンドパスフィルタの中心周波数を変化させるだけで、電気応答信号から多数の異なる周波数成分をフィルタリングすることができる。可変バンドパスフィルタの中心周波数の切り替えまたは修正は、数ミリ秒、例えば１０ｍｓまたは更にはそれ未満で行うことができる。このようにして、例えば１秒あたり１００サンプルの範囲の、かなり高いサンプリングレートを実現できる。可変バンドパスフィルタの中心周波数を、１０ｍｓまたは更にはそれ未満などの所定のサンプリング間隔に従って、変更することおよび変化させることができる。サンプリング間隔、したがって２つの連続したサンプリング時間の間の時間間隔は、可変バンドパスフィルタの動的挙動および動的切り替え特性によってのみ規制および限定される。
【００２１】
別の例によれば、第１のサンプリング時間において、可変バンドパスフィルタは、第１の中心周波数へと調整される。第２のサンプリング時間において、可変バンドパスフィルタは、少なくとも第２の中心周波数へと調整される。第１の中心周波数と第２の中心周波数は異なる。また更に、各サンプリング間隔の後で、バンドパスフィルタの中心周波数は、異なる中心周波数へと切り替えられるかまたは調整される。バンドパスフィルタの中心周波数が、各サンプリング時間において１段ずつ単調に増加または減少することが考えられる。最大中心周波数に達したとき、中心周波数は１段ずつ減少し得るか、または最小中心周波数へと切り替えることができる。最小中心周波数に達したとき、中心周波数は１段ずつ増加し得るか、または最大中心周波数へと切り替えることができる。
【００２２】
可変バンドパスフィルタを、１０個の異なる中心周波数、５０個の異なる中心周波数、または更には１００個もしくは数百個の異なる中心周波数へと、連続的に調整するまたは切り替えることが考えられる。このようにして、電気応答信号を、それぞれの数の異なる周波数成分に関して分析することができる。電気分析信号としてのノイズ信号を試料に適用することによって、選択された特定の中心周波数だけをソフトウェアによって実装することができ、それぞれの検体測定デバイスのハードウェア設定を変更する必要はない。
【００２３】
また更に、周波数成分の数および可変バンドパスフィルタの中心周波数は、可変バンドパスフィルタを相応に操作および制御することによって、容易に変更することができる。周波数成分の数および／または測定時間間隔中に分析されるべき周波数成分の選択を変更することさえ考えられる。このようにして、方法は、変化する複数の測定条件のうちの特定のものに対して動的に対応してもよい。
【００２４】
更なる例によれば、可変バンドパスフィルタは測定時間間隔中に、第１の中心周波数へとおよび第２の中心周波数へと、繰り返し調整される。測定時間間隔中に多数の測定サイクルを行ってもよく、この場合、各測定サイクル中に、所定の中心周波数または周波数成分の各々が１回選択されている。例として、電気応答信号の分析のために１０ｍｓのサンプリング間隔で例えば１０個の異なる周波数成分が選択される場合、測定サイクルは１００ｍｓ継続し得る。５秒の測定時間間隔中に、方法およびそれぞれの検体測定デバイスは５０回の測定サイクルを行うことができ、したがって１０個の周波数成分のうちの各１つについて、５０個の電気応答信号を収集することができる。
【００２５】
別の例によれば、電気分析信号はパルスのシーケンスを含み、この場合、パルスのシーケンスの単一のパルスは、山型パルスまたは矩形パルスを含む。他のパルス形態も考えられる。連続したパルスが試料に所定の反復率で適用される。パルスのシーケンスの反復率は、数ミリ秒の範囲内、例えば１０ｍｓ以下の範囲内であってもよい。
【００２６】
パルスのシーケンスの２つの連続したパルスの間に、電気分析信号は、ゼロ振幅または定振幅を含んでもよい。典型的には、電気応答信号は、電気分析信号のパルスに続くパルス休止中に分析される。このようにして、試料の動的応答を経時的に分析することができる。電気分析信号のパルスに続く電気応答信号を、パルス応答信号と呼んでもよい。パルス応答信号は、試料中の検体の量、分量、および／または濃度を示すものであり得る。パルス応答信号は、検体の測定に対する影響を有する外部要因または内部要因を更に示すものであり得る。パルス応答信号および一般に電気応答信号は、ヘマトクリット値、アスコルビン酸、酸素、湿度、または温度のうちの少なくとも１つを示すものであり得るが、これらはいくつか例を挙げたに過ぎない。
【００２７】
別の例では、電気応答信号は、測定時間間隔全体の間、および／またはパルスのシーケンスの連続したパルスの間の時間間隔中に、分析される。両方の手法を用いて、試料のパルス励起の影響、および試料の表面でまたは試料に関して生じる電気化学的反応に適用されるパルス励起を、モニタおよび分析することができる。
【００２８】
別の態様によれば、試料中の検体を測定するための検体測定デバイスが提供される。検体測定デバイスは、電気分析信号を生成するように構成されている信号発生器を含み、この場合電気分析信号は、周波数空間に移されたとき、少なくともサンプリング時間において２つ以上の非ゼロ周波数成分の重ね合わせを含む。検体測定デバイスは、電気信号発生器に接続され試料に電気的に接続可能な、コントローラを更に含む。コントローラは、試料が電気分析信号に曝されるときにまたは電気分析信号が試料に適用されるまたは既に適用されているときに、試料からの少なくとも１つの電気応答信号を測定するように構成されている。
【００２９】
検体測定デバイスは特に、上記したような検体を測定する方法を実行するように構成されている。検体を測定する方法に関連して上記した機能および効果は検体測定デバイスに等しくあてはまり、逆も成り立つ。
【００３０】
コントローラはまた、電気応答信号を分析するようにおよび電気応答信号の分析に基づいて試料中の検体の量を決定するように、構成してもよい。別法として、コントローラを、試料中の検体の量、分量、または濃度の分析および決定を行うように構成されている演算ユニットまたはプロセッサを有する、コンピュータまたはスマートフォンなどの、別個のコンピューティングデバイスに接続することができる。
【００３１】
別の例によれば、信号発生器は、ホワイトノイズ周波数スペクトル、ピンクノイズ周波数スペクトル、レッドノイズ周波数スペクトル、ブルーノイズ周波数スペクトル、バイオレットノイズ周波数スペクトル、およびグレーノイズ周波数スペクトルのうちの少なくとも１つを生成するように構成されている、ノイズ発生器を含む。信号発生器を、測定時間間隔全体にわたって試料に絶え間なくかつ恒久的にノイズ信号を適用するように構成することができる。別法として、信号発生器を、測定時間間隔内の少なくとも選択されたサンプリング時間中にノイズ信号を繰り返し適用するように構成することができる。ノイズ信号は非常に多数の周波数成分の重ね合わせを含み、各周波数成分には時間的な変動または揺らぎが見られる。ノイズ信号が含む異なる周波数成分が非常に少数である場合も考えられる。このようにして、試料は、多数のまたは場合によっては非常に少数の異なる周波数成分に、同時に曝される可能性がある。
【００３２】
別の例では、検体測定デバイスは、コントローラに接続されコントローラによって調整可能な、可変バンドパスフィルタを含む。可変バンドパスフィルタは、試料に電気分析信号を適用することに応答して試料から返される電気応答信号を、フィルタリングするように構成されている。可変バンドパスフィルタは特に、試料に適用される電気分析信号がピンクノイズ周波数スペクトルなどのノイズ信号を含むときに、電気応答信号をフィルタリングするように構成されている。コントローラは、可変バンドパスフィルタを調整することによって、測定時間間隔中に所定の電気応答信号の周波数成分を選択するように構成されている。このようにして、コントローラは２重の機能を実現する。一態様では、コントローラは、中心周波数、およびしたがって特定の周波数成分を選択するように構成されている。第２の態様では、コントローラは、選択された周波数成分に関してまたは可変バンドパスフィルタの選択されたもしくは調整された中心周波数に関して、電気応答信号を測定するようにおよび分析するように構成されている。
【００３３】
更なる例によれば、コントローラは、可変バンドパスフィルタを第１のサンプリング時間（ｔ１）において第１の中心周波数へと調整するように、ならびに、電気応答信号のうちの可変バンドパスフィルタによってフィルタリングされた部分を、第１のサンプリング時間（ｔ１）において測定するようにまたは記録するように、構成されている。コントローラは、可変バンドパスフィルタを第２のサンプリング時間において第２の中心周波数へと調整するようにまたは調節するように、ならびに、電気応答信号のうちの可変バンドパスフィルタによってフィルタリングされた部分を、第２のサンプリング時間において測定するようにまたは記録するように、更に構成されている。このようにして、コントローラおよびしたがって検体測定デバイスは、電気応答信号の経時的な周波数選択分析を、試料に適用される電気分析信号を変更することなく行うことができる。
【００３４】
別の例によれば、信号発生器は、パルスのシーケンスを生成するように構成されているパルス発生器を含む。パルス発生器は山型パルスのシーケンスを生成するように構成されているか、またはパルス発生器は、矩形パルスのシーケンスを生成するように構成されている。周波数空間において見られるようなタイプの異なるパルスはどちらも、２つ以上の非ゼロ周波数成分の重ね合わせを含む。典型的には、信号発生器としてのパルス発生器を用いて、電気応答信号は、測定時間間隔全体の間、または信号発生器によって生成されるパルスのシーケンスの連続したパルスの間の時間間隔中に、分析される。このようにして、試料表面でまたは試料において生じる電気化学的反応の動的な反応または応答をモニタおよび分析して、検体測定デバイスの正確度および信頼性を改善することができる。
【００３５】
別の実施形態によれば、パルス発生器およびしたがって信号発生器は、試料に矩形電流パルスを適用するように構成されている電流源を含む。電流源によって、制御された様式で試料を帯電または放電させることができる。矩形電流パルスによる試料の帯電または放電は、内部要因または外部要因を更に示すものとなり得る。この帯電または放電はまた、試料中の検体の量、分量、または濃度を直接示すものとなり得る。
【００３６】
更なる例では、検体測定デバイスは、試料に直流オフセットを適用するように構成されている、直流オフセット発生器を含む。直流オフセットによって、電気化学的反応の基礎測定、および試料中の検体の量、濃度の分量の基礎推定を行うことができる。電気分析信号への動的寄与、例えばパルスのシーケンスおよび試料のパルス応答は、専らまたは主として、試料中の検体の測定に大きな影響を与え得る内部要因または外部要因を、演算的に補償するために使用することができる。
【００３７】
更なる例によれば、コントローラは、パルス発生器を起動してパルスのシーケンスを生成する前に直流オフセット発生器を停止するように構成されている。直流オフセット発生器およびパルス発生器を同時に動作させて、所与のサンプリング時間において、直流オフセット発生器およびパルス発生器の一方だけが起動しているようにすることができる。
【００３８】
検体を測定する上記した方法および対応する検体測定デバイスは主として、血糖が測定されるように構成することができるが、この用途に限定されない。一般に、検体を測定する方法および対応する検体測定デバイスは、以下の検体のうちの少なくとも１つを測定するように構成することができる：血液、尿、および汗のうちの少なくとも１つなどの液体生体試料中の、乳酸塩、尿酸、ケトン、クレアチニン、ヘモグロビン、総コレステロール、酸素、二酸化炭素、タンパク質、ナトリウム、カリウム、カルシウム、マグネシウム、亜鉛、銅、鉄、クロム、ニッケル、または鉛。
【００３９】
検体測定デバイスは、糖尿病などの慢性疾患を患っている患者の血糖濃度を測定するための、血糖モニタリングデバイスとして実装することができる。検体測定デバイスを使用して、薬学的に活性な物質、したがって別個の注射デバイスを用いて注射される薬物または薬剤の量を、決定してもよい。検体測定デバイスは更に言えば、注射デバイス内に実装されてもよい。
【００４０】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、更なる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、更なる実施形態において、薬学的に活性な化合物は、糖尿病または糖尿病性網膜症などの糖尿病に関連する合併症の処置および／または予防のための少なくとも１つのペプチドを含み、
ここで、更なる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００４１】
インスリン類似体は、例えば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００４２】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００４３】
エキセンジン−４は、例えば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００４４】
エキセンジン−４誘導体は、例えば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００４５】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和物
から選択される。
【００４６】
ホルモンは、例えば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００４７】
多糖類としては、例えば、グルコサミノグリカン、ヒアルロン酸、ヘパリン、低分子量ヘパリン、もしくは超低分子量ヘパリン、またはそれらの誘導体、または上述の多糖類の硫酸化形態、例えば、ポリ硫酸化形態、および／または、薬学的に許容されるそれらの塩がある。ポリ硫酸化低分子量ヘパリンの薬学的に許容される塩の例としては、エノキサパリンナトリウムがある。
【００４８】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００４９】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（例えば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００５０】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００５１】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプの全ての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体全てについては同じである。各重鎖の可変領域は、約１１０アミノ酸長であり、単一のＩｇドメインから構成される。
【００５２】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００５３】
全ての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００５４】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。更に、重鎖および軽鎖の可変領域は、縮合して単鎖可変フラグメント（ｓｃＦｖ）を形成することもできる。
【００５５】
薬学的に許容される塩は、例えば、酸付加塩および塩基性塩である。酸付加塩としては、例えば、ＨＣｌまたはＨＢｒ塩がある。塩基性塩は、例えば、アルカリまたはアルカリ土類、例えば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩の更なる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００５６】
薬学的に許容される溶媒和物は、例えば、水和物である。
【００５７】
本開示の精神および範囲から逸脱することなく、本開示に対して様々な修正および変更を行うことができることが、当業者には更に明らかとなるであろう。更に、付属の特許請求の範囲において使用されるどのような参照符号も、本開示の範囲を限定するものとして解釈されるべきではないことに留意されたい。
【００５８】
以下では、駆動機構および注射デバイスの実施形態について、下記の図面を参照して詳細に記載する。
【図面の簡単な説明】
【００５９】
【図１】試料中の検体を測定するように構成されている検体測定デバイスの概略図である。
【図２】電気分析信号の例のスペクトルを示す図である。
【図３】電気分析信号の別の例のスペクトルを示す図である。
【図４】電気分析信号の更なる例のスペクトルを示す図である。
【図５】検体測定デバイスの一実施形態のブロック図である。
【図６】電気分析信号のおよび電気応答信号の経時的な振幅図である。
【図７】検体測定デバイスの別の実施形態のブロック図である。
【図８】電気分析信号のおよび対応する電気応答信号の経時的な振幅図である。
【図９】検体測定デバイスの更なる実施形態のブロック図である。
【図１０】電気分析信号のおよび対応する電気応答信号の経時的な振幅図である。
【図１１】試料中の検体を測定する方法のフローチャートである。
【発明を実施するための形態】
【００６０】
いくつかの電気化学血糖モニタリング（ＢＧＭ）測定スキームでは、測定および測定結果は、多数の外部要因および内部要因の影響を受ける。内部要因は、試料の酸素圧、試料のヘマトクリット値のレベル、または試料のアスコルビン酸のレベルであり得る。湿度および温度は、試料の電気化学的分析に対して実質的な影響を及ぼし得る、外部要因と見なすことができる。
【００６１】
測定信号に基づくおよび演算モデルに基づく、精緻な計算によって、これらの内部要因または外部要因のうちのいくつかを少なくとも近似することができ、この結果、測定結果に対するそのような内部要因または外部要因のうちの少なくとも１つまたはいくつかの影響、例えばヘマトクリットの干渉を、補償することが可能になる。
【００６２】
したがって、試料中の検体を測定する改善された方法を提供すること、および、試料中のそのような１つの検体またはいくつかの検体を測定するための改善された検体測定デバイスを提供することが、本開示の目的である。改善された方法および検体測定デバイスにより、非常に堅牢で精確でフェイルセーフな、試料中の検体の測定を実現できる。また更に、検体測定デバイスおよびそれぞれの方法は、検体の測定に影響を及ぼす外部要因および内部要因の演算的な補償を支援するものとなる。
【００６３】
図１には検体測定デバイス１００が概略的に図示されている。検体測定デバイス１００は、ハウジング２０と、試験片１２を受けるための少なくとも１つのレセプタクル２２と、を含む。試験片１２は、液体媒体、例えば血液１４を受けるように構成されている。血液１４を試験片１２に付着させると、試験片１２はバイオセンサへと、または一種の電気化学セルへと変わる。典型的には上記したように、試験片１２は、血液１４を試験片１２に付着させるとすぐに血液１４との反応を開始する、多数の酵素を含むかまたは備えている。試験片１２または少なくともその一部は、血液試料１４を受け、この結果、検体測定デバイス１００によって行われることになる電気化学的分析を受ける、試料１０を形成するように構成されている。このために、検体測定デバイス１００のレセプタクル２２は、試験片１２の少なくとも一部、すなわち試験片１２のうちの試料１０を担持する部分を受けるように形成されている。試験片１２に適用される血液１４は、少なくとも１つの検体１６、例えば検体測定デバイス１００によって測定されることになる血糖を含む。
【００６４】
検体測定デバイス１００の内部構造が図５に概略的に図示されている。検体測定デバイス２０は、いずれも試料１０に接続されているかまたは接続可能である、コントローラ１５０と信号発生器１１０とを含む。この図では、試料１０は電気化学セルとして再現されている。試料１０は、コントローラ１５０および信号発生器１１０に電気的に接続されている。信号発生器１１０およびコントローラ１５０は、直列に接続されている。また更に、試料１０は、信号発生器１１０におよびコントローラ１５０に、直列に接続されている。
【００６５】
検体測定デバイス１００は、信号発生器１１０、試料１０に、およびコントローラ１５０に同じく直列に接続されている、任意選択の直流オフセット発生器１２０を更に含み得る。試料１０とコントローラ１５０の間に、可変バンドパスフィルタ１３０が配置されている。可変バンドパスフィルタ１３０とコントローラ１５０の間に、整流器およびまたは積分器１４０が配置されており、これによって、可変バンドパスフィルタ１３０によってフィルタリングされた信号を、コントローラ１５０によって更に分析するために整流および積分することができる。
【００６６】
コントローラ１５０は、アナログ−デジタル変換器１５２を含む。コントローラ１５０は、測定に対して影響を及ぼす内部要因または外部要因を演算的に補償するための、プロセッサおよびストレージなどのデジタル論理ユニット、例えばマイクロコントローラを含む。
【００６７】
コントローラ１５０は、可変バンドパスフィルタ１３０に接続されている。コントローラ１５０はまた、信号発生器１１０にも接続されている。コントローラ１５０は、可変バンドパスフィルタ１３０を制御するようにおよび調整するように構成されている。コントローラ１５０はまた、信号発生器１１０を制御および動作させるようにも構成されている。コントローラ１５０はまた、直流オフセット発生器１２０にも接続されている。コントローラ１５０は、直流オフセット発生器１２０を制御するように、したがってこれを起動または停止するように、構成されている。
【００６８】
信号発生器１１０と試料１０の間には、基準抵抗器として機能する抵抗器１１４が配置されている。抵抗器１１４は電流電圧変換器として機能しかつ振る舞う。
【００６９】
図５に図示するような例では、信号発生器１１０は、ノイズ信号を図６に示すような電気分析信号１６０として生成するように構成されている、ノイズ発生器１１２として実装することができる。そのようなノイズ信号の周波数スペクトル１６２が、図２に示されている。ノイズ発生器１２０は、図６の上のグラフ１８０に示すようなノイズ信号１６０を生成するように構成されている。信号発生器１１０およびそのノイズ発生器１１２は、経時的に連続的な信号としてのピンクノイズ信号１６０を生成するように構成されている。そのようなノイズ信号が、試料１０に電気分析信号１６０として適用される。試験片１２に対する電気化学的反応がそこに血液１４を付着させることによって活性化されたとき、試料１０および電気化学セルは、図６のグラフ１８２に示すような電気応答信号１７０を生成する。
【００７０】
信号の全てのグラフ表現において、信号の振幅Ａは、時間に対してまたは周波数に対して与えられている。振幅信号Ａは、電圧、電流、またはインピーダンスのうちの１つを表し得る。
【００７１】
電流およびしたがって試料１０によって生成された電気応答信号は、経時的に変化する。図６では、信号は測定時間間隔ＭＴにわたって示されている。測定時間間隔ＭＴは、数秒、例えば５秒から１０秒の継続時間を有し得る。この信号から、応答信号１７０、したがって血液１４によって活性化されたときに試料１０によって生成される電流が増加し、測定時間間隔ＭＴがかなり経過してから最大値に達するがことが、明らかである。その後時間の経過とともに、試料１０によって生成される電流はゆっくりと減少する。
【００７２】
電気応答信号１７０のグラフ１８６には、サンプリング時間ｔ１およびｔ２において測定される、２つの別個の周波数成分１７１、１７２が示されている。これらのサンプリング時間ｔ１、ｔ２において、電気応答信号１７０は、コントローラ１５０によって測定される。図５の実施形態では、ノイズ発生器１１２は、ノイズ信号１６０を生成するようにおよびこのノイズ信号を試料１０に適用するように、構成されている。そのようなこのノイズ信号の周波数スペクトル１６２が、例えば図２に示されている。図２には、その周波数成分にわたるノイズ信号の振幅が示されている。図２から、電気分析信号１６０は多数の周波数成分、いくつか例を挙げればｃ１、ｃ２、ｃ３を含むことが明らかである。
【００７３】
ノイズ信号の形態の電気分析信号１６０が、測定時間間隔ＭＴ全体にわたって連続的に試料１０に適用されている間、コントローラ１５０は、可変バンドパスフィルタ１３０を一連の異なる中心周波数ｆ０、ｆ１、ｆ２へと調整するように構成されている。特に、第１のサンプリング時間ｔ１において、バンドパスフィルタ１３０は、第１の中心周波数ｆ１へと調整される。この結果、試料１０から電気応答信号１７０が得られる。電気応答信号１７０は可変バンドパスフィルタ１３０によってフィルタリングされ、可変バンドパスフィルタ１３０を通過する部分１７１、したがってその第１の周波数成分１７１は整流器および積分器１４０に入力される。その後、整流され積分された信号１７１はアナログ−デジタル変換器１５２に提供され、次いでコントローラ１５０によって分析される。このようにサンプリング時間ｔ１において、電気応答信号１７０は、中心周波数ｆ１を有する周波数成分に関して分析される。このことが図６のグラフ１８６に示されている。
【００７４】
第２のサンプリング時間ｔ２において、可変バンドパスフィルタ１３０は、コントローラ１５０によって、第２の中心周波数ｆ２へと調整される。次いで、広帯域応答信号１７０の別の周波数成分１７２が、可変バンドパスフィルタ１３０によってフィルタリングされる。これに対応して、整流器および積分器１４０はフィルタリングされた信号を処理し、アナログ−デジタル変換器に、およびしたがってコントローラ１５０に、異なる信号を提供する。
【００７５】
コントローラ１５０は、可変バンドパスフィルタ１３０を多数の中心周波数へと繰り返し調整するように、および、試料１０に電気分析信号１６０、したがってノイズ信号を適用することに応答して受信される、電気応答信号１７０のそれぞれの周波数成分を、その電気応答信号の中心周波数ごとに測定するように、構成されている。コントローラ１５０は、測定時間間隔ＭＴ中に電気応答信号１７０を繰り返し測定するように、および、電気応答信号１７０を選択された中心周波数ごとに数回測定するように、構成されている。
【００７６】
コントローラ１５０は測定時間間隔ＭＴ中に多数の測定サイクルを行ってもよく、この場合、各測定サイクル中に、電気応答信号の周波数成分は１回だけ測定される。サンプリング間隔においてまたはサンプリング間隔中に、各測定サイクルを、したがって電気応答信号１７０の多数の周波数成分にわたる掃引を、行うことができる。したがって、サンプリング間隔ごとに電気応答信号の各周波数成分を測定することができる。多数のサンプリング時間において多数の測定サイクルを行うことによって、電気応答信号の周波数成分の時間的発展を導き出すことができる。
【００７７】
図６のグラフ１８４には、測定時間間隔ＭＴにわたって、３つの異なる周波数成分ｆ１、ｆ２、ｆ３に関する複素インピーダンスＺの時間的発展が与えられている。電気応答信号１７０の異なる周波数成分ｆ１、ｆ２、ｆ３の時間的挙動から、検体の測定に影響を与える内部要因および／または外部要因を補償または計算することができる。
【００７８】
典型的には、可変バンドパスフィルタを、かなり短い時間間隔内、例えば５００ｍｓ、１００ｍｓ、１０ｍｓ以内に、または更にはより速く、調節することができる。このことにより、電気応答信号の異なる周波数成分を選択することおよび個別に測定することのできるサンプリング間隔またはサンプリングレートが得られる。
【００７９】
図５に示すような実施形態では、試料１０は２極電気化学セルを含み、それらを表している。別法として、試料１０を、基準電極を更に含む３極セルとして実装することもできる。
【００８０】
図７および図８に示すような更なる例では、異なるタイプの信号発生器２１０が使用される。この場合、信号発生器２１０は、図８に示すような山型パルスのシーケンス２６０を生成するように構成されている、パルス発生器２１２を含む。ここでも同様に、コントローラ２５０は、アナログ−デジタル変換器２５５を含む。コントローラ２５０は、直流オフセット発生器２２０および信号発生器２１０に接続されている。同じくコントローラ２５０によって制御可能なスイッチ２１４、２２４、および２３４が、更に示されている。スイッチ２１４は、信号発生器２１０と試料１０の間に位置付けられている。スイッチ２２４はスイッチ２１４と並列に接続されている。スイッチ２２４は、直流オフセット発生器２２０と試料１０の間に位置付けられている。更なるスイッチ２３４は、他の２つのスイッチ２１４および２２４と並列に接続されている。スイッチ２３４によって、増幅器２３０を試料１０の一方の極に接続可能である。増幅器２３０の反対側の端部は最終的に、コントローラ２５０のアナログ−デジタル変換器２５２に接続されている。コントローラ２５０は、直流オフセット発生器２２０のおよび信号発生器２１０の動作を制御するために、マイクロコントローラを含み得る。コントローラ２５０はまた、試料１０から取得可能な電気応答信号２７０を測定および分析するようにも構成されてよい。
【００８１】
図８のグラフ２８０は、直流オフセット発生器２２０によって生成される振幅または電圧を経時的に示す。時間ｔ０において、試験片１２に血液１４が適用される。結果的に、試料１０および試料１０が表す電気化学セルは、電気化学的に活性化される。コントローラ２５０は、時間ｔ０において電気化学セルの活性化が、およびしたがって試料の活性化が検出されるとすぐに、直流オフセット発生器２２０を停止するように構成されている。この場合、コントローラは、試料１０の電気化学的活性化を検出し得る。その後、または発生器のＤＣの停止と同時に、コントローラ２５０は信号発生器２２０を起動する。グラフ２８０に示すように、所定の電圧の山型パルスのシーケンスが、電気分析信号２６０として試料１０に適用される。
【００８２】
その後、連続したパルス間の時間間隔内で、増幅器２３０は試料１０に接続される。この場合、スイッチ２３４はパルス休止中に閉じられる。増幅器２３０は実際上、電流電圧変換器を提供し、増幅器２３０は実際上、試料１０の端子における電圧をゼロにする。電気分析信号２６０の各パルスが試料１０の電気化学的挙動によって生成された電磁力と組み合わされたとき、コントローラ２５０がモニタする電気応答信号２７０において反復的な電流減衰が生じる。グラフ２８４に示すような電気分析信号の山型パルス２６０に続く、電気応答信号２７０の時間的挙動および経時的な電流減衰は、外部要因もしくは内部要因の少なくとも一方にとってまたは試料中の検体の濃度にとって、特徴的なものであり得る。
【００８３】
上述した内部要因および外部要因などの様々なパラメータを考慮する特定のアルゴリズムによって、検体濃度、または試料中の検体の量もしくは分量を計算することができる。このためには、ｎ次元方程式を解かねばならない。そのような方程式を解くために、コントローラ２５０によってニューラルネットワークを構築してもよく、または、コントローラ２５０は、そのようなニューラルネットワークを含む別個のコンピューティングデバイスと通信してもよい。
【００８４】
図８のグラフ２８２において時間領域で示されている、電気分析信号２６０として使用される一連の山型パルスは、図３では２６２として周波数領域で示されている。山型パルスのシーケンスは、いわゆるディラックのくしに似ている場合があるか、またはこれを含み得る。このシーケンスは多数の周波数成分ｃ１、ｃ２、ｃ３を含み、これらを重ね合わせると、ディラックのデルタ関数から構築された緩増加超関数が形成される。
【００８５】
図９および図１０に示すような更なる例では、試料１０に、電気分析信号３６０として矩形パルスが適用される。図９に係る例は図７に係る例に似ている。この場合、信号発生器３１０はパルス発生器３１２も含むが、図７に示すような実施形態とは異なり、パルス発生器３１２は電流源３１４を含む。図９に示すような検体測定デバイス３００はまた、信号発生器３１０と並列に接続されている、直流オフセット発生器３２０も含む。信号発生器３１０および直流オフセット発生器３２０はいずれも、試料１０と、およびしたがって電気化学セルと、直列に接続されている。
【００８６】
信号発生器３１０および直流オフセット発生器３２０と並列に、増幅器３３０が設けられる。増幅器３３０は、演算増幅器３３２である増幅装置と抵抗器３３４とを含む。増幅器３３０には、電流から電圧への変換を行うための別個の抵抗器３３６が更に設けられている。抵抗器３３６は、増幅器３３０の入力部に接続されている。増幅器３３０の入力部は抵抗器３３６に接続されており、抵抗器３３６は、試料１０の少なくとも１つの極または電極に更に接続されている。増幅器３３０の出力部は、コントローラ３５０のアナログ−デジタル変換器３５２に接続されている。コントローラ３５０は、直流オフセット発生器３２０におよび信号発生器３１０に接続されている。コントローラ３５０は、直流オフセット発生器３２０および信号発生器３１０を制御するように更に構成されている。
【００８７】
図７に関連して記載したものと同様に、試料１０が血液１４の少なくともいくつかの液滴を受けることによって活性化されたとき、グラフ３７０に示すような直流オフセットが、時間ｔ０においてオフにされる。この場合、コントローラ３５０によって試料１０の活性化が既に検出されている。その後直流オフセットコントローラ３５０を停止した後で、試料１０への電気分析信号３６０の適用がトリガされる。
【００８８】
この場合、電気分析信号３６０は時間領域において、矩形電流パルスのシーケンスを含む。図４では、電流パルスが時間領域において３６０として表されており、その対応する周波数スペクトルが３６２として示されている。図４に示すように、電流パルス３６０は、図４の対応する周波数スペクトル３６２において示されているような、多数の周波数成分ｃ１、ｃ２、ｃ３を含む。試料１０への電流パルスの適用と同時に、試料１０の応答およびしたがって試料１０によって反映または生成された電気応答信号３７０が、コントローラ３５０によって測定される。試料１０および試料１０によって提供または形成されるバイオセンサセルは、例えば試験片１２上に血液１４を付着させることにより、活性化されたとき、電圧および電流を供給する。
【００８９】
電流源３１４によって、試料１０およびしたがって電気化学セルへの電荷の供給および除去が行われる。グラフ３８２に示すような電流パルスを試料１０に適用している間にまたは適用した後で、グラフ３８４に示すような電気応答信号３７０の振幅の特徴的な低下または変調３７２が生じる。変調３７２のサイズおよび形状は、試料１０中の検体の測定に影響を及ぼす内部要因または外部要因を示している。また更に、変調３７２のサイズおよび形状は、試料１０中の検体１６の量、分量、および／または濃度を示すものであり得る。
【００９０】
図１１には、試料１０中の検体１６を測定する方法の簡単なフローチャートが示されている。第１の工程４００において、例えば、試験片１２上に血液１４を数滴付着させることによって、および試験片１２をＢＧＭデバイスなどの検体測定デバイス１００に挿入することによって、試料が活性化される。次いで、工程４０２において、試料１０に電気分析信号１６０が適用される。電気分析信号１６０は周波数空間に移されたとき、サンプリング時間において、２つ以上の非ゼロ周波数成分の重ね合わせを含む。
【００９１】
電気分析信号１６０の適用中または適用後に、工程４０４において、試料１０からの電気応答信号１７０が測定される。その後工程４０６において、電気応答信号を分析して、試料１０中の検体の量、分量、または濃度を決定する。
【符号の説明】
【００９２】
１０  試料
１２  試験片
１４  血液
１６  検体
２０  ハウジング
２２  レセプタクル
１００  検体測定デバイス
１１０  信号発生器
１１２  ノイズ発生器
１１４  抵抗器
１２０  直流オフセット発生器
１３０  可変バンドパスフィルタ
１４０  整流器
１５０  コントローラ
１５２  アナログ−デジタル変換器
１６０  電気分析信号
１６２  周波数スペクトル
１７０  応答信号
１７１  周波数成分
１７２  周波数成分
１８０  グラフ
１８２  グラフ
１８４  グラフ
１８６  グラフ
２００  検体測定デバイス
２１０  信号発生器
２１２  パルス発生器
２１４  スイッチ
２２０  直流オフセット発生器
２２４  スイッチ
２３０  増幅器
２３４  スイッチ
２５０  コントローラ
２５２  アナログ−デジタル変換器
２６０  電気分析信号
２６２  周波数スペクトル
２７０  応答信号
２８０  グラフ
２８２  グラフ
２８４  グラフ
２８６  グラフ
３００  検体測定デバイス
３１０  信号発生器
３１２  パルス発生器
３１４  電流源
３２０  直流オフセット発生器
３３０  増幅器
３３２  演算増幅器
３３４  抵抗器
３３６  抵抗器
３５０  コントローラ
３５２  アナログ−デジタル変換器
３６０  電気分析信号
３６２  周波数スペクトル
３７０  応答信号
３７２  変調
３８０  グラフ
３８２  グラフ
３８４  グラフ
【図１】
2021500537.tif 000003
【図２】
2021500537.tif 000004
【図３】
2021500537.tif 000005
【図４】
2021500537.tif 000006
【図５】
2021500537.tif 000007
【図６】
2021500537.tif 000008
【図７】
2021500537.tif 000009
【図８】
2021500537.tif 000010
【図９】
2021500537.tif 000011
【図１０】
2021500537.tif 000012
【図１１】
2021500537.tif 000013
【国際調査報告】
2021500537.tif 000014
2021500537.tif 000015
2021500537.tif 000016